(57)【要約】【課題】変圧器用ブッシングに装着する作業を間接活線作業用絶縁操作棒を用いて行うことができるようにした変圧器用ブッシングカバーを提供する。【解決手段】ヒンジ結合された開閉自在な第１及び第２のカバー半部１１及び１２と、カバー半部１１及び１２のヒンジ結合部と反対側の自由端部からそれぞれ突出した板状の第１及び第２の突出部１４及び１５とを一体に有している。第１及び第２の突出部１４及び１５には、ブッシングから外部に導出される電線を間に挟んで保持する第１及び第２の電線保持部１４ａ及び１５ａと、間接活線作業用絶縁操作棒の先端の把持具により把持するために必要な大きさを有する第１及び第２の被把持部１４ｂ及び１５ｂとが設けられている。第１及び第２の突出部１４及び１５にはまた、両者が重ね合わされた際に両突出部を機械的に結合した状態に係止する係止部が一体に設けられている。【選択図】    図３
2010093006.tif 000002
【特許請求の範囲】
【請求項１】
柱上変圧器のケースに固定された碍子本体とこの碍子本体の中心導体の先端部に螺着されたつまみ碍子とを備えた変圧器用ブッシングの前記碍子本体とつまみ碍子とを内部に収容した状態で覆う変圧器用ブッシングカバーにおいて、
前記碍子本体及びつまみ碍子の半部を内側に収容し得る形状の筒体をその軸線を含む一つの平面を分割面として２分割した形状を有して前記分割面上に位置する周方向の一端がヒンジ結合部により結合された開閉自在な第１及び第２のカバー半部と、前記第１及び第２のカバー半部の前記ヒンジ結合部と反対側の自由端部からそれぞれ外方に突出した板状の第１及び第２の突出部とを一体に有して、前記第１及び第２のカバー半部を閉じた際に前記第１及び第２の突出部が互いに重なり合うように構成され、
前記第１及び第２の突出部が重ね合わされた際に前記ブッシングから外部に導出される電線を間に挟んで保持する第１及び第２の電線保持部と、間接活線作業用絶縁操作棒の先端に設けられた把持具により把持するために必要な大きさを有する第１及び第２の被把持部とが前記第１及び第２の突出部にそれぞれ設けられるとともに、前記第１及び第２の突出部が重ね合わされた際に両突出部を機械的に結合した状態に係止する係止部が前記第１及び第２の突出部に一体に設けられ、
前記係止部は、前記第１及び第２の突出部が重ね合わされる際に互いに弾撥的に係合する係止突起と係止孔とからなっていること、
を特徴とする変圧器用ブッシングカバー
【請求項２】
前記第１及び第２の突出部には、両突出部が重ね合わされた際に整合する貫通孔が少なくとも一つずつ設けられている請求項１に記載の変圧器用ブッシングカバー。
【請求項３】
装柱された柱上変圧器のケースに固定された碍子本体とこの碍子本体の中心導体の先端部に螺着されたつまみ碍子とを備えた変圧器用ブッシングに、前記碍子本体とつまみ碍子とを内部に収容した状態で覆う変圧器用ブッシングカバーを取り付ける変圧器用ブッシングカバーの取り付け方法であって、
前記変圧器用ブッシングカバーとして、請求項２に記載された構成を有するものを用い、
前記変圧器用ブッシングカバーの第１及び第２のカバー半部を開いた状態で、前記第１及び第２の突出部の貫通孔に絶縁性のロープを通しておき、
変圧器用ブッシングカバーの第１及び第２の被把持部のうちの一方を間接活線作業用絶縁操作棒の先端に設けられた把持具で把持して、該ブッシングカバーの第１及び第２のカバー半部を前記変圧器用ブッシングの碍子本体とつまみ碍子とに上から被せた後、
前記ロープの両端を引っ張ることにより、前記第１及び第２の突出部を互いに接近させる方向に変位させて、両突出部を重なり合う寸前の状態とし、
しかる後に、前記絶縁操作棒の先端の把持具で、重なり合う寸前の状態にある前記第１及び第２の突出部を挟んで互いに接近させる方向に変位させることにより、前記係合部を構成する係止突起と係止孔とを係合させて、前記第１及び第２のカバー本部を閉じた状態に保持すること、
を特徴とする変圧器用ブッシングカバーの取り付け方法。
【発明の詳細な説明】
【技術分野】
【０００１】
本発明は、柱上変圧器のケースに取り付けられるブッシングを覆う変圧器用ブッシングカバー及び該変圧器用ブッシングカバーをブッシングに取り付ける方法に関するものである。
【背景技術】
【０００２】
柱上変圧器に取り付けられるブッシングとして、変圧器のケースに固定された碍子本体とこの碍子本体の中心導体の先端部に螺着されたつまみ碍子とを備えて、碍子本体の中心導体に接続される電線をつまみ碍子により締め付けて保持するようにしたたものが用いられている。
【０００３】
この種のブッシングでは、つまみ碍子が経年劣化により割れた場合に、その破片が地上に落下するおそれがある。従って、柱上変圧器のブッシングとして、つまみ碍子を備えたものを用いる場合には、碍子本体とつまみ碍子とを覆うカバーを取り付けて、つまみ碍子の破片が落下するのを防ぐようにしておくのが好ましい。
【０００４】
柱上変圧器用ブッシングの碍子本体とつまみ碍子とを覆うカバーとしては、特許文献１に示されたものが知られている。
【特許文献１】特開平２００４−２５３７５４号公報
【発明の開示】
【発明が解決しようとする課題】
【０００５】
特許文献１に示されたブッシングカバーは、間接活線作業用の絶縁操作棒によりブッシングに取り付けることを可能にするための工夫がされていなかったため、該カバーを装柱されている変圧器のブッシングに取り付ける際には、ゴム手袋を用いて取り付け作業を行う必要があり、危険であった。
【０００６】
本発明の目的は、装柱されている変圧器のブッシングに取り付ける際に、間接活線作業用の絶縁操作棒を用いて取り付け作業を行うことができるようにした変圧器用ブッシングカバーを提供することにある。
【０００７】
本発明の他の目的は、変圧器用ブッシングカバーを間接活線作業用の絶縁操作棒を用いて、ブッシングに容易に取り付ける方法を提案することにある。
【課題を解決するための手段】
【０００８】
本発明は、柱上変圧器のケースに固定された碍子本体とこの碍子本体の中心導体の先端部に螺着されたつまみ碍子とを備えた変圧器用ブッシングの碍子本体とつまみ碍子とを内部に収容した状態で覆う変圧器用ブッシングカバーに係わるものである。
【０００９】
本発明に係わるブッシングカバーは、碍子本体及びつまみ碍子の半部を内側に収容し得る形状の筒体をその軸線を含む一つの平面を分割面として２分割した形状を有して分割面上に位置する周方向の一端がヒンジ結合部により結合された開閉自在な第１及び第２のカバー半部と、第１及び第２のカバー半部のヒンジ結合部と反対側の自由端部からそれぞれ外方に突出した板状の第１及び第２の突出部とを一体に有していて、第１及び第２のカバー半部を閉じた際に第１及び第２の突出部が互いに重なり合うように構成されている。
【００１０】
上記第１及び第２の突出部にはそれぞれ、第１及び第２の突出部が重ね合わされた際にブッシングから外部に導出される電線を間に挟んで保持する第１及び第２の電線保持部と、間接活線作業用絶縁操作棒の先端に設けられた把持具により把持するために必要な大きさを有する第１及び第２の被把持部とが設けられている。
【００１１】
第１及び第２の突出部にはまた、両突出部が重ね合わされた際に両突出部を機械的に結合した状態に係止する係止部が一体に設けられている。この係止部は、第１及び第２の突出部が重ね合わされる際に互いに弾撥的に係合する係止突起と係止孔とからなっている。
【００１２】
上記のように、第１及び第２のカバー半部の自由端部にそれぞれ板状の第１及び第２の突出部を形成して、これらの突出部に、間接活線作業用絶縁操作棒の先端に設けられた把持具により把持するために必要な大きさの第１及び第２の被把持部を設けておくと、これらの被把持部を絶縁操作棒の先端の把持具で把持することによりカバーを確実に保持することができるため、装柱されている変圧器のブッシングにカバーを取り付ける作業を間接活線作業用絶縁操作棒を用いて行うことができ、作業の安全性を確保することができる。
【００１３】
本発明の好ましい態様では、上記第１及び第２の突出部に、両突出部が重ね合わされた際に整合する貫通孔が少なくとも一つ設けられている。
【００１４】
このように第１及び第２の突出部に貫通孔を設けておくと、該貫通孔に何らかの補助具を挿入して、両突出部を互いに接近させる方向に変位させる操作を可能にすることができるため、カバーの取り付け作業を容易にすることができる。
【００１５】
本発明に係わる変圧器用ブッシングカバーの取り付け方法は、装柱された柱上変圧器のケースに固定された碍子本体とこの碍子本体の中心導体の先端部に螺着されたつまみ碍子とを備えた変圧器用ブッシングに、碍子本体とつまみ碍子とを内部に収容した状態で覆う変圧器用ブッシングカバーを取り付ける方法である。
【００１６】
本発明においては、変圧器用ブッシングカバーとして、前述のように、第１及び第２の突出部に、両突出部が重ね合わされた際に整合する貫通孔が少なくとも一つ設けられたものを用い、変圧器用ブッシングカバーの第１及び第２のカバー半部を開いた状態で、第１及び第２の突出部の貫通孔に絶縁性のロープを通しておく。そして、変圧器用ブッシングカバーの第１及び第２の被把持部のうちの一方を間接活線作業用絶縁操作棒の先端に設けられた把持具で把持して、該ブッシングカバーの第１及び第２のカバー半部を前記変圧器用ブッシングの碍子本体とつまみ碍子とに被せた後、ロープの両端を引っ張ることにより、第１及び第２の突出部を互いに接近させる方向に変位させて、両突出部を重なり合う寸前の状態とする。しかる後に、絶縁操作棒の先端の把持具で重なり合う寸前の状態にある第１及び第２の突出部を挟んで互いに接近させる方向に変位させることにより、係合部を構成する係止突起と係止孔とを係合させて、第１及び第２のカバー本部を閉じた状態に保持する。
【００１７】
上記の方法によれば、第１及び第２のカバー半部を閉じる作業を遠隔操作により容易に行うことができるため、変圧器用ブッシングカバーの取付を容易に行うことができる。
【発明の効果】
【００１８】
本発明に係わる変圧器用ブッシングカバーによれば、第１及び第２のカバー半部の自由端部にそれぞれ板状の第１及び第２の突出部を形成して、これらの突出部に、間接活線作業用絶縁操作棒の先端に設けられた把持具により把持するために必要な大きさの第１及び第２の被把持部を設けたので、これらの被把持部を絶縁操作棒の先端の把持具で把持することによりカバーを確実に保持することができる。従って、装柱されている変圧器のブッシングにカバーを取り付ける作業を間接活線作業用絶縁操作棒を用いて行うことができ、作業の安全性を確保することができる。
【００１９】
本発明に係わる変圧器用ブッシングカバーの取り付け方法によれば、第１及び第２のカバー半部を閉じる作業を遠隔操作により容易に行うことができるため、変圧器用ブッシングカバーの取付を容易に行うことができる。
【発明を実施するための最良の形態】
【００２０】
以下図面を参照して本発明の好ましい実施形態を詳細に説明する。
図１ないし図７は本発明に係わる変圧器用ブッシングカバーの実施形態を示したもので、図１は本実施形態の変圧器用ブッシングカバーを変圧器用ブッシングに取り付けた状態を一部断面して示した側面図、図２は本実施形態のブッシングカバーを開いた状態を示した背面図、図３は本実施形態のブッシングカバーを開いた状態を示した正面図、図４は本実施形態のブッシングカバーを閉じた状態の正面図、図５は本実施形態のブッシングカバーを閉じた状態の背面図、図６は本実施形態のブッシングカバーを閉じた状態を示した側面図、図７は本実施形態のブッシングカバーを閉じた状態を示した底面図である。
【００２１】
図１において、１は柱上変圧器のケース（変圧器ケースという。）の側壁、２は変圧器ケースの側壁１に設けられた孔を貫通して取り付けられた変圧器用ブッシングである。変圧器用ブッシング２は、碍子本体２０１と、碍子本体２０１を貫通させて設けられた中心導体２０２の先端に螺着されたつまみ碍子２０３とからなっている。
【００２２】
碍子本体２０１は、外周に波付けがされた部分２０１a1を有する管状の頭部２０１ａと、頭部２０１ａの後端部につながる管状の首下部２０１ｂとを有し、頭部２０１ａ及び首下部２０１ｂの軸心部を貫通させて中心導体２０２が設けられている。頭部２０１ａの先端部寄りには、先端が開口した筒状部２０１a2が形成されている。筒状部２０１a2には、中心導体２０２に接続された電線３を外部に導出するための切り欠き２０１a3が形成されている。
【００２３】
碍子本体２０１は、その首下部２０１ｂを変圧器ケースの側壁１に設けられた孔を通して変圧器ケース内に挿入して、頭部２０１ａと首下部２０１ｂとの間の段部をパッキン８を介して側壁１に当接させることにより軸線方向に位置決めされている。４は、図示しないバネで抜け止めされて首下部２０１ｂに固定されたブッシング取り付け金具で、この取り付け金具４に設けられたネジ孔に螺合されたボルト５が変圧器ケースの側壁１の内面に当接されて締め付けられることにより、ブッシング２がその軸線を水平方向に向けて変圧器ケースに取り付けられている。本実施形態では、碍子本体２０１が、その筒状部の切り欠き２０１a3を横に（水平方向に）向けた状態で取り付けられていて、電線３がブッシング２から横方向に導出される。
【００２４】
中心導体２０２の先端部には大径部２０２ａと、該大径部２０２ａより前方に突出した小径部２０２ｂとが形成されて、小径部２０２ｂの外周にネジ部２０２b1が形成され、小径部２０２ｂの一部が碍子本体の筒状部２０１a2の内側を通して外部に導出されている。中心導体２０２の小径部２０２ｂと大径部２０２ａとの間には、段差部２０２ｃが形成されている。また中心導体２０２の先端の小径部２０２ｂの大径部２０２ａ寄りの部分には、電線３の芯線３ａを挿入するための貫通孔が設けられている。
【００２５】
つまみ碍子２０３は、碍子本体２０１の筒状部２０１a2の内径よりも小さい外径を有する首下部２０３ａと首下部２０３ａよりも大径の頭部２０３ｂとを有し、首下部２０３ａの内側にナット２０３ｃが固定されている。つまみ碍子２０３のナット２０３ｃは、中心導体２０２の先端の小径部２０２ｂのネジ部２０２b1に螺合されている。中心導体２０２の小径部２０２ｂには、ワッシャ６とバネワッシャ７とが嵌合されている。
【００２６】
電線３は、その先端の絶縁被覆を剥いで露出させた芯線３ａを中心導体２０２の先端の小径部に設けた貫通孔に挿入して、該芯線３ａをつまみ碍子２０３のナット２０３ｃによりバネワッシャ７及びワッシャ６を介して中心導体の大径部２０２ａに対して締め付けることにより、中心導体２０２に電気的及び機械的に接続される。中心導体２０２に接続された電線３は、碍子本体２０１の切り欠き２０１a3を通して外部に導出される。
【００２７】
ブッシング２の碍子本体２０１とつまみ碍子２０３とを覆うため、ブッシングカバー１０が設けられている。図２ないし図７に示されているように、ブッシングカバー１０は、碍子本体２０１及びつまみ碍子２０３の半部を内側に収容し得る形状の円筒体をその軸線を含む一つの平面を分割面として２分割した形状を有して、分割面上に位置する周方向の一端がヒンジ結合された開閉自在な第１及び第２のカバー半部１１及び１２と、第１及び第２のカバー半部１１及び１２のヒンジ結合部１３と反対側の自由端部からそれぞれ外方に突出した矩形板状の第１及び第２の突出部１４及び１５とを一体に有している。第１及び第２の突出部１４及び１５は、図４ないし図７に示したように両者を閉じた状態にしたときに、互いに整合した状態で重なり合うように設けられている。
【００２８】
本実施形態では、第１及び第２のカバー半部１１及び１２がそれぞれ円筒を２分割したものに相当する半割円筒状の周壁部１１ａ及び１２ａと、該周壁部の軸線方向に一端を閉じる端部壁１１ｂ及び１２ｂとを有する形状に形成されていて、両カバー半部１１及び１２を閉じた状態にしたときに、一端が端部壁１１ｂ及び１２ｂで閉鎖され、他端が開口した円筒状のカバー本体が構成されるように、各カバー半部が構成されている。また第１及び第２の突出部１４及び１５は、第１及び第２のカバー半部１１及び１２の軸線方向の全長に亘るように設けられている。
【００２９】
本実施形態に係わるブッシングカバー１０においては、第１及び第２の突出部１４及び１５が重ね合わされた際にブッシング２から外部に導出される電線３を間に挟んで保持する第１及び第２の電線保持部１４ａ及び１５ａと、後述する間接活線作業用絶縁操作棒の先端に設けられた把持具により把持するのに適した厚みと面積とを有する第１及び第２の被把持部１４ｂ及び１５ｂとが第１及び第２の突出部１４及び１５にそれぞれ設けられている。
【００３０】
第１及び第２の電線保持部１４ａ及び１５ａは、板状の突出部１４及び１５から外側に膨出した半割円筒状（樋状）の部分からなっていて、カバーをブッシングに取り付けて突出部１４及び１５を重ね合わせた際に、電線１３が電線保持部１４ａ及び１５ａの間に挟まれた状態になるように、両電線保持部の位置が設定されている。
【００３１】
第１及び第２の被把持部１４ｂ及び１５ｂは、矩形状の輪郭形状を有するように形成されていて、カバー半部１１及び１２の端部壁１１ｂ及び１２ｂが設けられた側に位置する突出部１４及び１５の一端寄りのコーナ部に設けられている。第１及び第２の被把持部１４ｂ及び１５ｂは、突出部１４及び１５の他の部分よりも肉厚に形成されていて、突出部１４及び１５が重ね合わされたときに互いに整合する複数（図示の例では６個）の矩形状の第１及び第２の貫通孔１４ｃ及び１５ｃが、第１及び第２の被把持部１４ｂ及び１５ｂをそれぞれ貫通させた状態で形成されている。このように第１及び第２の被把持部１４ｂ及び１５ｂにそれぞれ貫通孔１４ｃ及び１５ｃを設けておくと、後述する間接活線作業用絶縁操作棒の先端の把持具で被把持部１４ｂ，１５ｂを把持した際に、両被把持部の外面に凹凸を形成できるため、これらの被把持部を絶縁操作棒の先端の把持具で把持し易くすることができる。貫通孔１４ｃ，１５ｃを設ける代りに被把持部１４ｂ及び１５ｂの外面に凹凸を設けておくことも考えられるが、被把持部の外面に凹凸を設けた場合には、第１及び第２の突出部１４及び１５を横向きにしてブッシングカバー１０を取り付けた場合に、上側になった被把持部の外面の凹凸の凹部の部分に水が溜まり、好ましくない。これに対し、本実施形態のように、被把持部１４ｂ及び１５ｂにそれぞれ整合する貫通孔１４ｃ及び１５ｃを設けておけば、これらの貫通孔が水抜き孔として機能するため、上側になった被把持部の上に水が溜まるのを防ぐことができる。
【００３２】
本実施形態ではまた、第１及び第２の突出部１４及び１５が重ね合わされた際に両突出部を機械的に結合した状態に係止する係止部が第１及び第２の突出部１４及び１５に一体に設けられている。本実施形態では、この係止部が、第１及び第２の突出部１４及び１５が重ね合わされる際に互いに弾撥的に係合する係止突起１６と係止孔１７とからなっている。図示の例では、第１の突出部１４に４つの係止突起１６が分散配置した状態で設けられ、第２の突出部１５に４つの係止突起１６にそれぞれ対応する４つの係止孔１７が設けられている。各係止突起１６は先端に径が拡大された頭部１６ａを有し、各係止孔１７は係止突起１６の頭部１６ａよりも手前の部分（小径部）の外径にほぼ等しい内径を有している。
【００３３】
また図示の例では、第１及び第２のカバー半部１１及び１２の周壁部１１ａ及び１２ａの内周に、複数のフィン状突起１１ｃ及び１２ｃが形成されている。これらのフィン状突起は、図１に示したように、カバーをブッシングに取り付けた際につまみ碍子２０３と碍子本体２０１との間の隙間に挿入されて、つまみ碍子２０３の首下部２０３ａの外周に突き当てられることにより、カバーをブッシングに対して支える。なお図２及び図５において、１１c1及び１２c1は、フィン状突起１１ｃ及び１２ｃの周壁部１１ａ及び１２ａ寄りの部分に形成された水抜き用の切り欠きである。
【００３４】
図８は、本実施形態のブッシングカバー１０を変圧器用ブッシングに取り付ける際に用いる間接活線作業用絶縁操作棒（ホットスティック）２０の一例を示したものである。この絶縁操作棒２０は、絶縁材からなる絶縁棒２１の先端に、可動顎２２ａと固定顎２２ｂとからなる把持具２２を取り付けるとともに、把持具２２を開閉操作する操作ハンドル２３を絶縁棒２１の後端部側に取り付けて、操作ハンドル２３と把持具２２の可動顎２２ａとの間を絶縁連結棒２４でリンク結合した構造を有する周知のもので、操作ハンドル２３を操作することにより、可動顎２２ａを動かして先端の把持具２２を開閉させることができるようになっている。
【００３５】
ブッシングカバー１０に設ける被把持部１４ｂ及び１５ｂは、絶縁操作棒２０の先端の把持具２２で、掴むことができる大きさを有するように形成しておく。
【００３６】
上記のように絶縁操作棒の先端の把持具で把持することができる大きさと厚さとを有する板状の被把持部１４ｂ及び１５ｂを第１及び第２の突出部１４及び１５にそれぞれ設けておくと、各被把持部を絶縁操作棒の把持具により確実に把持して、ブッシングカバーをブッシングに対して所定の位置関係に配置してブッシングに被せる作業を容易に行うことができるため、ブッシングカバーをブッシングに取り付ける作業を容易にすることができる。
【００３７】
なお被把持部１４ｂ及び１５ｂを設けずに、電線保持部１４ａ及び１５ａのみを設けて、これらの電線保持部を絶縁操作棒の把持具により把持することによりブッシングカバーの取り付け作業を行うことも考えられるが、電線保持部１４ａ及び１５ａを把持具で把持すると、電線保持部１４ａ及び１５ａを電線３の位置に合わせることが難しいため、ブッシングカバー１０をブッシング２に取り付ける作業を容易に行うことができない。
【００３８】
これに対し、本実施形態のように、板状の被把持部１４ｂ及び１５ｂを電線保持部１４ａ及び１５ａの側方に、電線保持部１４ａ及び１５ａから離して設けておくと、各被把持部を絶縁操作棒の把持具により把持して、電線保持部１４ａ及び１５ａの位置を電線の位置に合わせる作業を容易に行うことができるため、ブッシングカバーをブッシングに取り付ける作業を容易に行うことができる。
【００３９】
本実施形態のブッシングカバー１０は、図２及び図３に示すように開いた状態にある第１及び第２のカバー半部１１及び１２を、それぞれの軸線方向の開口部を変圧器ケース側に向けた状態でブッシング２に被せて、ヒンジ結合部１３寄りのフィン状突起１１ｃ及び１２ｃをつまみ碍子２０３と碍子本体２０２との間の隙間に挿入した後、第１及び第２の突出部１４及び１５を互いに引き寄せる方向に変位させて、両突出部を接近させ、最終的に両突出部を重ね合わせることにより、各係止突起１６を各係止孔１７に弾撥的に係合させて、両突出部１４及び１５を機械的に結合する。柱上変圧器のブッシング２に電線を接続する際には、通常、電線３をブッシングから横向きに引出すか、または電線３を上向きに引出す。本実施形態のブッシングカバー１０は、電線保持部１４ａ，１５ａ及び第１及び第２の突出部１４及び１５を電線を引出す方向に向けた状態でブッシング２に取り付けられる。
【００４０】
上記のように、変圧器用ブッシングにブッシングカバー１０を取り付けておくと、経年劣化によりつまみ碍子２０３が割れたときに、つまみ碍子の破片が落下するのを防ぐことができる。
【００４１】
また変圧器用ブッシングをブッシングカバー１０で覆っておくと、ブッシングの充電部がカバー１０により覆われるため、鳥害による地絡事故の防止や、作業者の感電防止を図ることができる。
【００４２】
次に、上記実施形態に係わるブッシングカバー１０を、装柱された変圧器ケースに取り付けられた変圧器用ブッシング２に、間接活線作業により取り付ける方法の一実施形態を説明する。ブッシングカバー１０を変圧器用ブッシング２に取り付ける作業は、バケット車等を用いて作業員を柱上変圧器の近くまで上昇させた状態で行う。本実施形態の方法によりブッシングカバー１０を変圧器用ブッシング２に取り付けるに当たっては、先ず図９に示すように、ブッシングカバー１０の第１及び第２のカバー半部１１及び１２を開いた状態で、両カバー半部１１及び１２を閉じた際に互いに整合する位置関係にある貫通孔１４ｃ，１５ｃに絶縁性のロープ３０を通しておく。そして、ブッシングカバー１０の第１及び第２の被把持部１４及び１５のうちの一方を間接活線作業用絶縁操作棒２０の先端に設けられた把持具２２で把持して、図９に示すように、第１及び第２のカバー半部１１及び１２を、その軸線方向の開口部を変圧器ケース側に向けた状態で、変圧器用ブッシング２の碍子本体２０１とつまみ碍子２０３とに被せ、フィン状突起１１ｃ，１２ｃをつまみ碍子２０３と碍子本体２０１との間の隙間に挿入する。次いで、図１０に示すように第１及び第２の突出部１４及び１５の貫通孔１４ｃ，１５ｃに通されたロープ３０の両側の部分３０ｂ，３０ｃをクロスさせて斜めに引っ張ることにより、第１及び第２の突出部１４及び１５を互いに接近させる方向に変位させて、両突出部を重なり合う寸前の状態とする。ここで、絶縁操作棒２０の先端の把持具２２で、重なり合う寸前の状態にある第１及び第２の突出部１４及び１５の被把持部１４ｂ及び１５ｂを挟んで両者を互いに接近させる方向に変位させることにより、係合部を構成する係止突起１６と係止孔１７とを弾撥的に係合させる。これにより、第１及び第２の突出部１４及び１５を機械的に結合して第１及び第２のカバー半部１１及び１２を閉じた状態にする。その後、ロープ３０を突出部１４及び１５の貫通孔から引き抜いて、取り付け作業を完了する。
【００４３】
このような方法によれば、ブッシングカバーの突出部１４及び１５を引き寄せる操作をロープを引くだけで行うことができ、両突出部を引き寄せる操作を行うために２本の絶縁操作棒を用いる必要がないため、ブッシングカバーの取り付けを容易に行うことができる。
【００４４】
上記の説明では、ブッシング２から電線３を横向きに引出すとしたが、図１１に示すように、ブッシング２から電線３を上向きに引出す場合にも上記と同様の方法によりブッシングカバー１０をブッシング２に取り付けることができる。電線３がブッシングから上向きに引出される場合には、ブッシングカバー１０を開いた状態で、突出部１４及び１５を上向きにして、ブッシングカバー１０をブッシング２に下から被せた後、ロープ３０の両端をクロスさせて斜め上に引っ張ることにより、図１１に示すように突出部１４及び１５を重なり合う寸前の状態にする。次いで、重なり合う寸前の状態にある第１及び第２の突出部１４及び１５の被把持部１４ｂ及び１５ｂを挟んで両者を互いに接近させる方向に変位させることにより、係合部を構成する係止突起１６と係止孔１７とを弾撥的に係合させる。これらの作業は、バケット車等により作業員をブッシング２よりも高い位置まで移動させておくことにより、容易に行うことができる。
【図面の簡単な説明】
【００４５】
【図１】本発明の実施形態の変圧器用ブッシングカバーを変圧器用ブッシングに取り付けた状態を一部断面して示した側面図である。
【図２】本実施形態のブッシングカバーを開いた状態を示した背面図である。
【図３】本実施形態のブッシングカバーを開いた状態を示した正面図である。
【図４】本実施形態のブッシングカバーを閉じた状態の正面図である。
【図５】本実施形態のブッシングカバーを閉じた状態の背面図である。
【図６】本実施形態のブッシングカバーを閉じた状態を示した側面図である。
【図７】本実施形態のブッシングカバーを閉じた状態を示した底面図である。
【図８】本実施形態のブッシングカバーを変圧器用ブッシングに取り付ける際に用いる間接活線作業用絶縁操作棒の一例を示した正面図である。
【図９】本発明に係わる取り付け方法の一実施形態において、第１及び第２の突出部に設けられた貫通孔にロープを通した状態を示した正面図である。
【図１０】本発明に係わる取り付け方法の一実施形態において、第１及び第２の突出部が重なり合う寸前の状態を示した正面図である。
【図１１】本発明に係わる取り付け方法の他の実施形態において、第１及び第２の突出部が重なり合う寸前の状態を示した正面図である。
【符号の説明】
【００４６】
１  変圧器ケースの側壁
２  変圧器用ブッシング
２０１  碍子本体
２０２  中心導体
２０３  つまみ碍子
３  電線
１０  変圧器用ブッシングカバー
１１  第１のカバー半部
１２  第２のカバー半部
１３  ヒンジ結合部
１４  第１の突出部
１４ａ  第１の電線保持部
１４ｂ  第１の被把持部
１４ｃ  第１の貫通孔
１５  第２の突出部
１５ａ  第２の電線保持部
１５ｂ  第２の被把持部
１５ｃ  第２の貫通孔
【図１】
2010093006.tif 000003
【図２】
2010093006.tif 000004
【図３】
2010093006.tif 000005
【図４】
2010093006.tif 000006
【図５】
2010093006.tif 000007
【図６】
2010093006.tif 000008
【図７】
2010093006.tif 000009
【図８】
2010093006.tif 000010
【図９】
2010093006.tif 000011
【図１０】
2010093006.tif 000012
【図１１】
2010093006.tif 000013